(57)【要約】【課題】収納スペースを不要にしながらも組立板材としての用途とは別の用途にも利用できるようにする。【解決手段】組立板材１０には係合部１１が形成されている。複数の組立板材１０は、各係合部１１同士が係合することによって、互いに連結可能となっている。さらに、組立板材１０は、互いに分離可能に嵌合した複数の分離片２１，２２，２３，２４によって構成されている。【選択図】図１
2017210752.tif 000002
【特許請求の範囲】
【請求項１】
係合部が形成された組立板材であって、
複数の前記組立板材は、前記各係合部同士が係合することによって、互いに連結可能となっており、
前記組立板材は、互いに分離可能に嵌合した複数の分離片によって構成されている、組立板材。
【請求項２】
請求項１に記載の組立板材において、
前記係合部同士が連結することによって、床若しくは壁に設置される厚手マット又は据え置き型遊具が形成され、
前記分離片の少なくとも１つは、浮き具、遊具、又は組立椅子の構成部材である、組立板材。
【請求項３】
請求項２に記載の組立板材において、
複数の前記分離片が前記組立椅子の構成部材であり、
複数の前記分離片を該分離片の厚み方向に積層することによって前記組立椅子が構成され、前記分離片の積層枚数を増減することによって前記組立椅子の高さが調整可能となっている、組立板材。
【請求項４】
請求項３に記載の組立板材において、
前記組立椅子は仮設便器を構成しており、
前記分離片は、枠状体に形成されると共に、袋体の一部を固定する固定手段を有し、
積層された前記分離片の枠内に前記袋体を配置すると共に該袋体における開口端側の一部を前記固定手段で固定することにより、前記袋体に使用者の排泄物を収容できるようになっている、組立板材。
【請求項５】
請求項１乃至４の何れか１つに記載の組立板材において、
少なくとも１つの前記分離片は、前記組立板材に環状の切れ込みを二重に入れることによって分離可能な枠状体に形成されている、組立板材。
【発明の詳細な説明】
【技術分野】
【０００１】
本発明は、互いに連結可能な組立板材に関する。
【背景技術】
【０００２】
特許文献１には、互いに連結可能な組立板材の例として、床に配置する組立マットが開示されている。この組立マットは、四角形状に形成されると共に例えばその４辺に組立手段（係合部）が形成されている。組立手段（係合部）は、凸部と凹部が交互に配置された形状を有している。こうして、組立マットは、組立手段（係合部）同士が係合することによって互いに連結可能となっており、連結する組立マットの数を増減することで任意の大きさのマットを形成できるようになっている。
【０００３】
特許文献２には、ベッドの側部に車椅子が収まるように、マットレスの一部分を取り外し可能マットレス部分とすることが記載されている。すなわち、取り外し可能マットレス部分は、マットレス本体に連結可能となっている。そして、取り外し可能マットレス部分を取り外したスペースに車椅子を収まるように入れて、車椅子の背もたれ部分等を取り外してベッドと一体化した後、寝たきり老人をベッド上で起こして車椅子のマットに座らせる。そのことにより、ベッドから車椅子への移動が容易になるので、介護者の負担が軽減される。
【０００４】
特許文献３には、円環体状の袋を二段以上重ねた構造であり、袋の中に気体を充填して使用し、外側に転倒防止用の支持体を有する仮設便器が記載されている。この仮設便器は、複数の袋を支持体と共に折り畳んで収納できるようになっている。
【先行技術文献】
【特許文献】
【０００５】
【特許文献１】特開平１０−１５２９７７号公報
【特許文献２】実用新案登録第３０６８１３９号公報
【特許文献３】特開平７−１９４５００号公報
【発明の概要】
【発明が解決しようとする課題】
【０００６】
しかし、上記特許文献１では、組立板材としての組立マットをマット以外の用途に利用することは何等開示されていない。また上記特許文献２でも、取り外し可能マットレス部分を、ベッドのマットレスにおける一部分として用いる以外に他の用途に利用することは考えられていない。
【０００７】
特許文献３の仮設便器は、折り畳んで収納状態となることから使用状態よりはコンパクトになる。しかし、収納状態の仮設便器を収納する物置などの収納スペースが必要になることは避けられない。また、仮設便器を使用するのは災害時などの非常時であるところ、いざ使用しようとしたときに、仮設便器がどこに収納されているのか分からず、結局役に立たなかったということも起こり得る。また、普段の通常時には、仮設便器は物置などに収容されたままであって使用されないので、収納場所が分かっても使用方法が分からず、素早く的確に使用することが難しい。
【０００８】
本発明は、かかる点に鑑みてなされたものであり、その主たる目的とするところは、互いに連結可能な組立板材について、収納スペースを不要にしながらも組立板材をさらに分離することにより、組立板材の素材を、組立板材を用いて連結させた用途とは別の用途にも利用できるようにすることにある。
【課題を解決するための手段】
【０００９】
第１の発明に係る組立板材は、係合部が形成された組立板材であって、複数の前記組立板材は、前記各係合部同士が係合することによって、互いに連結可能となっており、前記組立板材は、互いに分離可能に嵌合した複数の分離片によって構成されている。
【００１０】
第２の発明に係る組立板材は、上記第１の発明において、前記係合部同士が連結することによって、床若しくは壁に設置される厚手マット又は据え置き型遊具が形成され、前記分離片の少なくとも１つは、浮き具、遊具、又は組立椅子の構成部材であるようにしてもよい。
【００１１】
第３の発明に係る組立板材は、上記第２の発明において、複数の前記分離片が前記組立椅子の構成部材であり、複数の前記分離片を該分離片の厚み方向に積層することによって前記組立椅子が構成され、前記分離片の積層枚数を増減することによって前記組立椅子の高さが調整可能となっていることが好ましい。
【００１２】
第４の発明に係る組立板材は、上記第３の発明において、前記組立椅子は仮設便器を構成しており、前記分離片は、枠状体に形成されると共に、袋体の一部を固定する固定手段を有し、積層された前記分離片の枠内に前記袋体を配置すると共に該袋体における開口端側の一部を前記固定手段で固定することにより、前記袋体に使用者の排泄物を収容できるようになっていてもよい。
【００１３】
第５の発明に係る組立板材は、上記第１乃至第４の何れか１つの発明において、少なくとも１つの前記分離片は、前記組立板材に環状の切れ込みを二重に入れることによって分離可能な枠状体に形成されていることが好ましい。
【発明の効果】
【００１４】
第１の発明によれば、組立板材は係合部において互いに連結した状態で、設置ないし使用することができる。そして、組立板材は複数の分離片によって構成されており、この分離片は互いに分離可能に嵌合している。したがって、例えば、連結状態の組立板材から分離片を分離することにより、連結状態の組立板材の素材（つまり組立板材の構成要素である分離片）を、組立板材を連結させた用途とは別の用途で使用することが可能になる。一方、分離片の使用後は、例えば、連結状態の組立板材に嵌め込むことによって、当該連結状態の組立板材に収納することができる。よって、互いに連結可能な組立板材について、物置等の別途の収納スペースを不要にしながらも、組立板材としての用途とは別の用途に分離片を利用することが可能になる。
【００１５】
第２の発明によれば、組立板材を互いに連結することにより厚手マット又は据え置き型遊具が形成される場合、分離片としての浮き具、遊具、又は組立椅子の構成部材を上記厚手マット又は据え置き型遊具から分離して利用することができる。このような厚手マット及び据え置き型遊具は、例えば室内等に設置されているので、日常的に、浮き具、遊具、又は組立椅子の構成部材を使用でき、またこれらを厚手マット又は据え置き型遊具の一部として収納することできる。特に、浮き具等は、日常的に使用することで、収納場所が明確になり且つ使用方法にも慣れるので、災害時などの非常時であっても迷うことなく素早く的確に救命用の浮き具等として使用できることとなる。つまり、普段から組立板材及び分離片を使用することが防災訓練にもなるのである。
【００１６】
第３の発明によれば、前記分離片が組立椅子の構成部材である場合、組立板材から分離した板状の上記構成部材（分離片）をその厚み方向に積層することによって組立椅子を形成できる。さらに、上記構成部材（分離片）の積層枚数を増減することで組立椅子の高さ調整を容易できる。そうして、このような組立椅子を、厚手マット又は据え置き型遊具の一部として収納することできる。
【００１７】
第４の発明によれば、枠状体の構成部材（分離片）を積層すると共に枠状体の枠内に袋体を配置して固定することにより、仮設便器を形成することができる。この仮設便器も、室内等に設置された厚手マット又は据え置き型遊具に複数の構成部材（分離片）として嵌め込まれて収納される。よって、その収納場所が明確になり且つ使用方法にも容易に慣れるので、災害時などの非常時に素早く的確に仮設便器として使用することが可能になる。
【００１８】
第５の発明によれば、組立板材に環状の切れ込みを二重に入れることによって分離可能な枠状体を形成することで、当該枠状体からなる分離片を好適に得ることができる。
【図面の簡単な説明】
【００１９】
【図１】図１は、本実施形態１における組立板材を示す平面図である。
【図２】図２は、本実施形態１における互いに連結した組立板材を示す平面図である。
【図３】図３は、床マット及び壁マットとして利用された組立板材を示す斜視図である。
【図４】図４は、据え置き型遊具として利用された組立板材を示す斜視図である。
【図５】図５は、第１分離片を示す平面図である。
【図６】図６は、第２分離片を示す平面図である。
【図７】図７は、第３分離片を示す平面図である。
【図８】図８は、第４分離片を示す平面図である。
【図９】図９は、楕円形の分離片を有する組立板材を示す平面図である。
【図１０】図１０は、ビート板としての分離片を有する組立板材を示す平面図である。
【図１１】図１１は、組立椅子として利用された分離片を示す斜視図である。
【図１２】図１２は、本実施形態２における組立板材を示す平面図である。
【図１３】図１３は、仮設便器として利用された分離片を示す斜視図である。
【図１４】図１４は、収納保存容器として利用された分離片を示す斜視図である。
【発明を実施するための形態】
【００２０】
以下、本発明の実施形態を図面に基づいて詳細に説明する。尚、本発明は、以下の実施形態に限定されるものではない。
《実施形態１》
【００２１】
図１〜図１１は、本実施形態１における組立板材の構成例及び使用例を示している。図１は、１つの組立板材１０を拡大して示す平面図である。図２は、互いに連結した組立板材１０を示す平面図である。
【００２２】
図１に示すように、本実施形態における組立板材１０は、例えば略正方形の板状に形成されている。組立板材１０は、水に浮く板材によって構成され、例えばＥＶＡ発泡体等の高発泡の樹脂材料や、単発泡の樹脂材料、若しくは、板材内部の気体が外部へ漏れないように選別された素材で密封された構造体等からなる。組立板材１０は、縦及び横の寸法が例えば６００ｍｍ程度であり、厚みが例えば３０ｍｍ程度である。尚、組立板材１０の寸法はこれに限らず、適宜設定することが可能である。
【００２３】
組立板材１０には係合部１１が形成されている。係合部１１は、組立板材１０の四辺に設けられており、側方外側へ突出した凸部１２と、側方内側へ陥入した凹部１３とが交互に配置されることによって形成されている。凸部１２及び凹部１３は、平面視で扁平した円弧状の外縁を有している。そして、複数の組立板材１０は、図２に示すように、凸部１２と凹部１３とが嵌合して各係合部１１同士が係合することによって、互いに連結可能となっている。
【００２４】
図２及び図３に示すように、組立板材１０は、係合部１１同士が互いに連結することによって、床５又は壁６に設置される大判の厚手マット１を形成するように構成されている。厚手マット１を壁６に設置する場合は、壁６と厚手マット１に例えば面ファスナー（図示省略）を貼り付けておくことにより、厚手マット１を壁６から着脱可能に設置できる。
【００２５】
尚、厚手マット１の縁には、当該厚手マット１の縁を直線状の形に整えるために、縁用板材（図示省略）を取り付けてもよい。縁用板材は、組立板材１０と同じくＥＶＡ発泡体等の水に浮く板材からなる長方形状に形成し、１つの長辺を直線状に形成する一方、その他の三辺に組立板材１０と同様の係合部を形成すればよい。
【００２６】
また、図４に示すように、組立板材１０は、互いに連結することによって床５に設置される据え置き型遊具２を形成することも可能になっている。例えば、図４の据え置き型遊具２は、子供が出入りして遊べるハウス型遊具２とした例を示している。このハウス型遊具２は、４つの壁部７で囲まれた室内を有して上部が開放された形状となっている。各壁部７の中央下部は、組立板材１０が嵌め込まれずに開口部８となっており、この開口部８が子供たちの出入口となっている。
尚、据え置き型遊具２は、少なくとも一部が組立板材１０によって構成されていれば、上記ハウス型遊具２に限らず他の遊具であってもよい。
【００２７】
図１、図５〜図８に示すように、組立板材１０は、互いに分離可能に嵌合した複数の分離片２１，２２，２３，２４によって構成されている。例えば、組立板材１０は、切れ込み１５が入れられていて、当該切れ込み１５において互いに分離可能となった複数の分離片２１，２２，２３，２４によって構成されている。組立板材１０は、少なくとも１つの分離片２２，２３が、当該組立板材１０に環状の切れ込み１５を二重に入れることによって分離可能な枠状体に形成されている。
【００２８】
本実施形態では、同心上に配置された三重の円形状の切れ込み１５が組立板材１０に形成されている。各切れ込み１５は、組立板材１０における厚み方向の全体に亘って形成されている。そして、分離片２１，２２，２３，２４の少なくとも１つは、後述するように、浮き具、遊具、又は組立椅子の構成部材となっている。
【００２９】
本実施形態の組立板材１０は、第１分離片２１、第２分離片２２、第３分離片２３及び第４分離片２４により構成されている。第１分離片２１は、図１及び図５に示すように、組立板材１０における係合部１１を有する最も外側部分であって、円状の第１開口部３１が形成されることにより枠状体となっている。
【００３０】
第２分離片２２は、図１及び図６に示すように、第１分離片２１の第１開口部３１に着脱自在に嵌め込まれて、円状の第２開口部３２が形成されることにより円環状の枠状体となっている。第３分離片２３は、図１及び図７に示すように、第２分離片２２の第２開口部３２に着脱自在に嵌め込まれて、円状の第３開口部３３が形成されることにより円環状の枠状体となっている。第４分離片２４は、図１及び図８に示すように、第３分離片２３の第３開口部３３に着脱自在に嵌め込まれる円板状に形成されている。こうして、第２〜第４分離片２２，２３，２４は、第１分離片２１に対して着脱自在になっている。
【００３１】
組立板材１０を例えばＥＶＡや単発泡素材などの浮力を維持する素材で構成することにより、第１分離片２１は大人用の浮き輪として、また第２分離片２２は子供用の浮き輪として、それぞれ使用できるようになっている。浮き輪としての浮力は、各分離片２１，２２を必要に応じてそれぞれ複数積層して使用することにより確保することができる。また、第３分離片２３は、例えば子供の腕に通すことにより、腕用の浮き輪として使用できるようになっている。
【００３２】
これら浮き輪としての第１〜第３分離片２１，２２，２３は、普段のプール遊びで使用できることに加え、水害などの災害時においても好適に使用できる。すなわち、第１〜第３分離片２１，２２，２３を日常的にプール遊び等で浮き輪として使用することで、その浮き輪としての使用方法にも慣れるので、災害時などの非常時であっても迷うことなく素早く的確に救命用の浮き輪として使用できる。
【００３３】
ここで、図９は、楕円形の分離片２７を有する組立板材１０を示している。この組立板材１０は、第１分離片２５、第２分離片２６及び第３分離片２７によって構成されている。第１分離片２５は、係合部１１を有する最も外側部分であって、円状の第１開口部３４が形成されることにより枠状体となっている。
【００３４】
第２分離片２６は、第１分離片２５の第１開口部３４に着脱自在に嵌め込まれて、楕円状の第２開口部３５が形成されることにより枠状体となっている。第３分離片２７は、第２分離片２６の第２開口部３５に着脱自在に嵌め込まれる楕円板状に形成されている。こうして、第２分離片２６は、大人用又は子供用の浮き輪として使用できるようになっている。
【００３５】
このように、枠状の第２分離片２６は楕円形の第２開口部３５を有することが好ましい。浮き輪の使用者の胴体は断面形状が楕円状であるので、浮き輪たる第２分離片２６が使用者の体にフィットし易くなることから、使用者の安全をより高めることができる。
【００３６】
尚、分離片２１，２２，２３は浮き輪以外の他の浮き具としてもよい。例えば、組立板材１０の他の例を示す図１０のように、係合部１１を有する外側の第１分離片２８と、この第１分離片２８に分離可能な第２分離片２９としてのビート板２９とによって、組立板材１０を構成してもよい。
【００３７】
また、図６及び図７に示す第２分離片２２及び第３分離片２３は、浮き輪としてだけでなく、輪投げ遊び用の輪として使用することも可能である。また、第２分離片２２に第３分離片２３及び第４分離片２４を嵌め込んだ状態で円盤形態とし、フライングディスクのように回転させながら投げて遊ぶこともできる。
【００３８】
また、第２〜第４分離片２２，２３，２４は、組立椅子３の構成部材としても使用できる。組立椅子３の斜視図である図１１に示すように、第２〜第４分離片２２，２３，２４を一体の円盤体とした状態で、その厚み方向に前記円盤体を複数積層することによって、円柱状の組立椅子３を構成することができる。この組立椅子３は、円盤体を構成する第２〜第４分離片２２，２３，２４の積層枚数を増減することによって組立椅子３の高さが容易に調整可能となっている。例えば組立板材１０の厚みが３０ｍｍであった場合、８枚分離片を積層すれば２４０ｍｍの高さの椅子を構成することが可能となる。
【００３９】
また、図４のハウス型遊具２では、第２〜第４分離片２２，２３，２４を取り外すことによって、その壁部７に丸い窓を作ることができ、遊びの幅を広げることができる。
【００４０】
以上説明したように、本実施形態１では、互いに連結可能な組立板材１０を、互いに分離可能に嵌合した複数の第１〜第４分離片２１，２２，２３，２４によって構成した。特に、第１〜第４分離片２１，２２，２３，２４は、組立板材１０に切れ込みが入れられることでその切れ込みにおいて互いに分離可能となっているので、その第１〜第４分離片２１，２２，２３，２４を組立板材１０からなる厚手マット１や据え置き型遊具２とは別の用途（例えば、浮き具や遊具等）で使用することができる。一方、第１〜第４分離片２１，２２，２３，２４の使用後は、厚手マット１や据え置き型遊具２（すなわち、連結状態の組立板材１０）に嵌め込むことによって、当該厚手マット１や据え置き型遊具２に収納することができる。よって、互いに連結可能な組立板材１０について、物置等の別途の収納スペースを不要にしながらも、組立板材１０としての用途とは別の用途に第１〜第４分離片２１，２２，２３，２４を利用することができる。
【００４１】
また、このような厚手マット１及び据え置き型遊具２は、例えば室内等に設置されているので、日常的に、第１〜第４分離片２１，２２，２３，２４を浮き具又は遊具として使用でき、またこれらを厚手マット１又は据え置き型遊具２の一部として収納することできる。特に、第１〜第３分離片２１，２２，２３を日常的にプール遊び等で浮き輪として使用できる構成としたので、その日常的な使用に伴い収納場所が明確になり且つ組立板材１０から取り外して使用するという使用方法にも自然と慣れる結果、災害時などの非常時であっても、迷うことなく素早く的確に救命用の浮き輪として使用できることとなる。つまり、普段から組立板材１０及び第１〜第３分離片２１，２２，２３を使用することが防災訓練にもなるという優れた利点を有するのである。
《実施形態２》
【００４２】
図１２及び図１３は、本実施形態２を示している。図１２は、本実施形態２における組立板材１０を拡大して示す平面図である。図１３は、仮設便器４の構成を示す斜視図である。
【００４３】
図１２に示すように、本実施形態２における組立板材１０は、当該組立板材１０に環状の切れ込み１５を二重に入れることによって互いに分離可能な第１分離片４１、第２分離片４２及び第３分離片４３により構成されている。
【００４４】
第１分離片４１は、上記実施形態１と同様の係合部１１を有する最も外側部分であって、円状の第１開口部４５が形成されることにより枠状体となっている。第２分離片４２は、第１分離片４１の第１開口部４５に着脱自在に嵌め込まれて、楕円状の第２開口部４６が形成されることにより枠状体となっている。第３分離片４３は、第２分離片４２の第２開口部４６に着脱自在に嵌め込まれる円板状に形成されている。
第２分離片４２には、その周方向に延びるスリット４８が所定の間隔で複数形成されている。スリット４８は、第２分離片４２を厚み方向に貫通している。
【００４５】
本実施形態２では、図１３に示すように、複数の第２分離片４２が積層してなる組立椅子が仮設便器４を構成している。すなわち、第１分離片４１及び第３分離片４３から分離した第２分離片４２を複数積層することにより、円筒状の積層体５０が形成される。積層体５０の内側（つまり、積層された第２分離片４２の枠内）には、第２開口部４６が縦に連なることで収容部５１が形成されている。
【００４６】
そして、収容部５１には、例えばポリオレフィンやポリエチレン等からなる袋体５３を配置すると共に、その袋体５３における開口端側の一部を積層体５０の上端を構成している第２分離片４２のスリット４８に差し込んで固定できるようになっている。つまり、スリット４８は、袋体５３の一部を固定する固定手段となっている。
【００４７】
さらに、袋体５３が取り付けられた積層体５０の上に別の第２分離片４２を載置することによって仮設便器４が形成される。袋体５３の開口端側部分は、上記スリット４８で固定されると共に上下の第２分離片４２によって挟み込まれるので、確実に固定保持することができる。このようにして、袋体５３に使用者の排泄物を収容できるようになっている。
【００４８】
よって、本実施形態２によると、上記実施形態１の浮き輪等と同様に、仮設便器４も、室内等に設置された厚手マット１又は据え置き型遊具２に複数の構成部材（分離片）として嵌め込まれて収納することができる。よって、その収納場所が明確になり且つ使用方法にも容易に慣れるので、災害時などの非常時に素早く的確に仮設便器４として使用することができる。
さらに、第２分離片４２を図９に示すような楕円状の第２開口部４６を有する形状とすれば、より仮設便器４に好適となり望ましい。
《実施形態３》
【００４９】
図１４は、実施形態３における仮設保存容器９の構成を示す斜視図である。本実施形態３における仮設保存容器９は、食品等を保温しつつ保存できるように構成されている。
【００５０】
仮設保存容器９は、上記実施形態２と同様に、複数の第２分離片４２が積層されてなる積層体５０を有すると共に、その内側の収容部５１に袋体５３が配置されてスリット４８により固定されている。袋体５３の内部、又は収容部５１の内側であって袋体５３の外側には、冷却材５５が配置されている。
【００５１】
さらに、袋体５３が取り付けられた積層体５０の上に第３分離片４３が嵌め込まれた第２分離片４２を載置する。このようにして、袋体５３に収容した食品等を冷却材５５により冷却しながら保存することが可能となる。特に、第２分離片４２がＥＶＡ等の発泡体からなるので、保温効果を高めることができる。
尚、収容物が温かい食品等である場合は、冷却材５５の代わりに加熱材を入れることで保温しながら保存することができる。
【００５２】
実施形態３の仮設保存容器９は日常の特別なイベントの際に簡易的な保存容器として活用する習慣を常に行っていれば、災害時などの非常時にあっても、迷うことなく素早く適格に実施形態２の仮設便器４への応用に繋がり、日頃の習慣がそのまま防災訓練にもなるという優れた利点を有するものである。
【産業上の利用可能性】
【００５３】
以上説明したように、本発明は、互いに連結可能な組立板材について有用である。
【符号の説明】
【００５４】
１  厚手マット
２  ハウス型遊具（据え置き型遊具）
３  組立椅子
４  仮設便器
５  床
６  壁
１０  組立板材
１１  係合部
１５  切れ込み
２１，２５，２８，４１  第１分離片
２２，２６，２９，４２  第２分離片
２３、２７，４３  第３分離片
２４  第４分離片
４８  スリット（固定手段）
５３  袋体
【図１】
2017210752.tif 000003
【図２】
2017210752.tif 000004
【図３】
2017210752.tif 000005
【図４】
2017210752.tif 000006
【図５】
2017210752.tif 000007
【図６】
2017210752.tif 000008
【図７】
2017210752.tif 000009
【図８】
2017210752.tif 000010
【図９】
2017210752.tif 000011
【図１０】
2017210752.tif 000012
【図１１】
2017210752.tif 000013
【図１２】
2017210752.tif 000014
【図１３】
2017210752.tif 000015
【図１４】
2017210752.tif 000016
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
係合部が形成された組立板材であって、
複数の前記組立板材は、前記各係合部同士が係合することによって、互いに連結可能となっており、
前記組立板材は、互いに分離可能に嵌合した複数の分離片によって構成され、
前記複数の分離片には、前記組立板材の最も外側部分を構成し前記係合部を有する枠状体の分離片が含まれており、
複数の前記組立板材は、前記係合部で互いに連結することにより立体的に組み合わせることが可能であると同時に、前記組立板材から分離した分離片が当該分離片のみによって、複数の前記組立板材を連結させた用途とは別の用途に用いることが可能になっている、組立板材。
【請求項２】
請求項１に記載の組立板材において、
前記係合部同士が連結することによって、床若しくは壁に設置される厚手マット又は据え置き型遊具を形成することが可能であり、
前記分離片の少なくとも１つを分離して、浮き具、遊具、又は組立椅子の構成部材とすることも可能である、組立板材。
【請求項３】
請求項２に記載の組立板材において、
複数の前記分離片が前記組立椅子の構成部材であり、
複数の前記分離片を該分離片の厚み方向に積層することによって前記組立椅子が構成され、前記分離片の積層枚数を上下に増減することによって前記組立椅子の高さが調整可能となっている、組立板材。
【請求項４】
請求項３に記載の組立板材において、
前記組立椅子は仮設便器を構成しており、
前記分離片は、枠状体に形成されると共に、袋体の一部を固定する固定手段を有し、
積層された前記分離片の枠内に前記袋体を配置すると共に該袋体における開口端側の一部を前記固定手段で固定することにより、前記袋体に使用者の排泄物を収容できるようになっている、組立板材。
【請求項５】
請求項１乃至４の何れか１つに記載の組立板材において、
少なくとも１つの前記分離片は、前記組立板材に環状の切れ込みを二重に入れることによって分離可能な枠状体に形成されている、組立板材。
【手続補正２】
【補正対象書類名】明細書
【補正対象項目名】全文
【補正方法】変更
【補正の内容】
【発明の詳細な説明】
【技術分野】
【０００１】
本発明は、互いに連結可能な組立板材に関する。
【背景技術】
【０００２】
特許文献１には、互いに連結可能な組立板材の例として、床に配置する組立マットが開示されている。この組立マットは、四角形状に形成されると共に例えばその４辺に組立手段（係合部）が形成されている。組立手段（係合部）は、凸部と凹部が交互に配置された形状を有している。こうして、組立マットは、組立手段（係合部）同士が係合することによって互いに連結可能となっており、連結する組立マットの数を増減することで任意の大きさのマットを形成できるようになっている。
【０００３】
特許文献２には、ベッドの側部に車椅子が収まるように、マットレスの一部分を取り外し可能マットレス部分とすることが記載されている。すなわち、取り外し可能マットレス部分は、マットレス本体に連結可能となっている。そして、取り外し可能マットレス部分を取り外したスペースに車椅子を収まるように入れて、車椅子の背もたれ部分等を取り外してベッドと一体化した後、寝たきり老人をベッド上で起こして車椅子のマットに座らせる。そのことにより、ベッドから車椅子への移動が容易になるので、介護者の負担が軽減される。
【０００４】
特許文献３には、円環体状の袋を二段以上重ねた構造であり、袋の中に気体を充填して使用し、外側に転倒防止用の支持体を有する仮設便器が記載されている。この仮設便器は、複数の袋を支持体と共に折り畳んで収納できるようになっている。
【先行技術文献】
【特許文献】
【０００５】
【特許文献１】特開平１０−１５２９７７号公報
【特許文献２】実用新案登録第３０６８１３９号公報
【特許文献３】特開平７−１９４５００号公報
【発明の概要】
【発明が解決しようとする課題】
【０００６】
しかし、上記特許文献１では、組立板材としての組立マットをマット以外の用途に利用することは何等開示されていない。また上記特許文献２でも、取り外し可能マットレス部分を、ベッドのマットレスにおける一部分として用いる以外に他の用途に利用することは考えられていない。
【０００７】
特許文献３の仮設便器は、折り畳んで収納状態となることから使用状態よりはコンパクトになる。しかし、収納状態の仮設便器を収納する物置などの収納スペースが必要になることは避けられない。また、仮設便器を使用するのは災害時などの非常時であるところ、いざ使用しようとしたときに、仮設便器がどこに収納されているのか分からず、結局役に立たなかったということも起こり得る。また、普段の通常時には、仮設便器は物置などに収容されたままであって使用されないので、収納場所が分かっても使用方法が分からず、素早く的確に使用することが難しい。
【０００８】
本発明は、かかる点に鑑みてなされたものであり、その主たる目的とするところは、互いに連結可能な組立板材について、収納スペースを不要にしながらも組立板材をさらに分離することにより、組立板材の素材を、組立板材を用いて連結させた用途とは別の用途にも利用できるようにすることにある。
【課題を解決するための手段】
【０００９】
第１の発明に係る組立板材は、係合部が形成された組立板材であって、複数の前記組立板材は、前記各係合部同士が係合することによって、互いに連結可能となっており、前記組立板材は、互いに分離可能に嵌合した複数の分離片によって構成され、前記複数の分離片には、前記組立板材の最も外側部分を構成し前記係合部を有する枠状体の分離片が含まれており、複数の前記組立板材は、前記係合部で互いに連結することにより立体的に組み合わせることが可能であると同時に、前記組立板材から分離した分離片が当該分離片のみによって、複数の前記組立板材を連結させた用途とは別の用途に用いることが可能になっている。
【００１０】
第２の発明に係る組立板材は、上記第１の発明において、前記係合部同士が連結することによって、床若しくは壁に設置される厚手マット又は据え置き型遊具を形成することが可能であり、前記分離片の少なくとも１つを分離して、浮き具、遊具、又は組立椅子の構成部材とすることも可能である。
【００１１】
第３の発明に係る組立板材は、上記第２の発明において、複数の前記分離片が前記組立椅子の構成部材であり、複数の前記分離片を該分離片の厚み方向に積層することによって前記組立椅子が構成され、前記分離片の積層枚数を上下に増減することによって前記組立椅子の高さが調整可能となっていることが好ましい。
【００１２】
第４の発明に係る組立板材は、上記第３の発明において、前記組立椅子は仮設便器を構成しており、前記分離片は、枠状体に形成されると共に、袋体の一部を固定する固定手段を有し、積層された前記分離片の枠内に前記袋体を配置すると共に該袋体における開口端側の一部を前記固定手段で固定することにより、前記袋体に使用者の排泄物を収容できるようになっていてもよい。
【００１３】
第５の発明に係る組立板材は、上記第１乃至第４の何れか１つの発明において、少なくとも１つの前記分離片は、前記組立板材に環状の切れ込みを二重に入れることによって分離可能な枠状体に形成されていることが好ましい。
【発明の効果】
【００１４】
第１の発明によれば、組立板材は係合部において互いに連結した状態で、設置ないし使用することができる。そして、組立板材は複数の分離片によって構成されており、この分離片は互いに分離可能に嵌合している。したがって、例えば、連結状態の組立板材から分離片を分離することにより、連結状態の組立板材の素材（つまり組立板材の構成要素である分離片）を、組立板材を連結させた用途とは別の用途で使用することが可能になる。一方、分離片の使用後は、例えば、連結状態の組立板材に嵌め込むことによって、当該連結状態の組立板材に収納することができる。よって、互いに連結可能な組立板材について、物置等の別途の収納スペースを不要にしながらも、組立板材としての用途とは別の用途に分離片を利用することが可能になる。そして、組立板材の最も外側部分を構成し係合部を有する枠状体の分離片と、その枠状体の分離片に分離可能に嵌合した他の分離片とを備えているので、複数の組立板材は、係合部で互いに連結することにより立体的に組み合わせることが可能であると同時に、組立板材から分離した分離片が当該分離片のみによって、複数の組立板材を連結させた用途とは別の用途に用いることが可能になっている。
【００１５】
第２の発明によれば、組立板材を互いに連結することにより厚手マット又は据え置き型遊具を形成することが可能であり、分離片としての浮き具、遊具、又は組立椅子の構成部材を上記厚手マット又は据え置き型遊具から分離して利用することができる。このような厚手マット及び据え置き型遊具は、例えば室内等に設置されているので、日常的に、浮き具、遊具、又は組立椅子の構成部材を使用でき、またこれらを厚手マット又は据え置き型遊具の一部として収納することできる。特に、浮き具等は、日常的に使用することで、収納場所が明確になり且つ使用方法にも慣れるので、災害時などの非常時であっても迷うことなく素早く的確に救命用の浮き具等として使用できることとなる。つまり、普段から組立板材及び分離片を使用することが防災訓練にもなるのである。
【００１６】
第３の発明によれば、前記分離片が組立椅子の構成部材である場合、組立板材から分離した板状の上記構成部材（分離片）をその厚み方向に積層することによって組立椅子を形成できる。さらに、上記構成部材（分離片）の積層枚数を上下に増減することで組立椅子の高さ調整を容易できる。そうして、このような組立椅子を、厚手マット又は据え置き型遊具の一部として収納することできる。
【００１７】
第４の発明によれば、枠状体の構成部材（分離片）を積層すると共に枠状体の枠内に袋体を配置して固定することにより、仮設便器を形成することができる。この仮設便器も、室内等に設置された厚手マット又は据え置き型遊具に複数の構成部材（分離片）として嵌め込まれて収納される。よって、その収納場所が明確になり且つ使用方法にも容易に慣れるので、災害時などの非常時に素早く的確に仮設便器として使用することが可能になる。
【００１８】
第５の発明によれば、組立板材に環状の切れ込みを二重に入れることによって分離可能な枠状体を形成することで、当該枠状体からなる分離片を好適に得ることができる。
【図面の簡単な説明】
【００１９】
【図１】図１は、本実施形態１における組立板材を示す平面図である。
【図２】図２は、本実施形態１における互いに連結した組立板材を示す平面図である。
【図３】図３は、床マット及び壁マットとして利用された組立板材を示す斜視図である。
【図４】図４は、据え置き型遊具として利用された組立板材を示す斜視図である。
【図５】図５は、第１分離片を示す平面図である。
【図６】図６は、第２分離片を示す平面図である。
【図７】図７は、第３分離片を示す平面図である。
【図８】図８は、第４分離片を示す平面図である。
【図９】図９は、楕円形の分離片を有する組立板材を示す平面図である。
【図１０】図１０は、ビート板としての分離片を有する組立板材を示す平面図である。
【図１１】図１１は、組立椅子として利用された分離片を示す斜視図である。
【図１２】図１２は、本実施形態２における組立板材を示す平面図である。
【図１３】図１３は、仮設便器として利用された分離片を示す斜視図である。
【図１４】図１４は、収納保存容器として利用された分離片を示す斜視図である。
【発明を実施するための形態】
【００２０】
以下、本発明の実施形態を図面に基づいて詳細に説明する。尚、本発明は、以下の実施形態に限定されるものではない。
《実施形態１》
【００２１】
図１〜図１１は、本実施形態１における組立板材の構成例及び使用例を示している。図１は、１つの組立板材１０を拡大して示す平面図である。図２は、互いに連結した組立板材１０を示す平面図である。
【００２２】
図１に示すように、本実施形態における組立板材１０は、例えば略正方形の板状に形成されている。組立板材１０は、水に浮く板材によって構成され、例えばＥＶＡ発泡体等の高発泡の樹脂材料や、単発泡の樹脂材料、若しくは、板材内部の気体が外部へ漏れないように選別された素材で密封された構造体等からなる。組立板材１０は、縦及び横の寸法が例えば６００ｍｍ程度であり、厚みが例えば３０ｍｍ程度である。尚、組立板材１０の寸法はこれに限らず、適宜設定することが可能である。
【００２３】
組立板材１０には係合部１１が形成されている。係合部１１は、組立板材１０の四辺に設けられており、側方外側へ突出した凸部１２と、側方内側へ陥入した凹部１３とが交互に配置されることによって形成されている。凸部１２及び凹部１３は、平面視で扁平した円弧状の外縁を有している。そして、複数の組立板材１０は、図２に示すように、凸部１２と凹部１３とが嵌合して各係合部１１同士が係合することによって、互いに連結可能となっている。
【００２４】
図２及び図３に示すように、組立板材１０は、係合部１１同士が互いに連結することによって、床５又は壁６に設置される大判の厚手マット１を形成するように構成されている。厚手マット１を壁６に設置する場合は、壁６と厚手マット１に例えば面ファスナー（図示省略）を貼り付けておくことにより、厚手マット１を壁６から着脱可能に設置できる。
【００２５】
尚、厚手マット１の縁には、当該厚手マット１の縁を直線状の形に整えるために、縁用板材（図示省略）を取り付けてもよい。縁用板材は、組立板材１０と同じくＥＶＡ発泡体等の水に浮く板材からなる長方形状に形成し、１つの長辺を直線状に形成する一方、その他の三辺に組立板材１０と同様の係合部を形成すればよい。
【００２６】
また、図４に示すように、組立板材１０は、互いに連結することによって床５に設置される据え置き型遊具２を形成することも可能になっている。例えば、図４の据え置き型遊具２は、子供が出入りして遊べるハウス型遊具２とした例を示している。このハウス型遊具２は、４つの壁部７で囲まれた室内を有して上部が開放された形状となっている。各壁部７の中央下部は、組立板材１０が嵌め込まれずに開口部８となっており、この開口部８が子供たちの出入口となっている。
尚、据え置き型遊具２は、少なくとも一部が組立板材１０によって構成されていれば、上記ハウス型遊具２に限らず他の遊具であってもよい。
【００２７】
図１、図５〜図８に示すように、組立板材１０は、互いに分離可能に嵌合した複数の分離片２１，２２，２３，２４によって構成されている。例えば、組立板材１０は、切れ込み１５が入れられていて、当該切れ込み１５において互いに分離可能となった複数の分離片２１，２２，２３，２４によって構成されている。組立板材１０は、少なくとも１つの分離片２２，２３が、当該組立板材１０に環状の切れ込み１５を二重に入れることによって分離可能な枠状体に形成されている。
【００２８】
本実施形態では、同心上に配置された三重の円形状の切れ込み１５が組立板材１０に形成されている。各切れ込み１５は、組立板材１０における厚み方向の全体に亘って形成されている。そして、分離片２１，２２，２３，２４の少なくとも１つは、後述するように、浮き具、遊具、又は組立椅子の構成部材となっている。
【００２９】
本実施形態の組立板材１０は、第１分離片２１、第２分離片２２、第３分離片２３及び第４分離片２４により構成されている。第１分離片２１は、図１及び図５に示すように、組立板材１０における係合部１１を有する最も外側部分であって、円状の第１開口部３１が形成されることにより枠状体となっている。
【００３０】
第２分離片２２は、図１及び図６に示すように、第１分離片２１の第１開口部３１に着脱自在に嵌め込まれて、円状の第２開口部３２が形成されることにより円環状の枠状体となっている。第３分離片２３は、図１及び図７に示すように、第２分離片２２の第２開口部３２に着脱自在に嵌め込まれて、円状の第３開口部３３が形成されることにより円環状の枠状体となっている。第４分離片２４は、図１及び図８に示すように、第３分離片２３の第３開口部３３に着脱自在に嵌め込まれる円板状に形成されている。こうして、第２〜第４分離片２２，２３，２４は、第１分離片２１に対して着脱自在になっている。
【００３１】
組立板材１０を例えばＥＶＡや単発泡素材などの浮力を維持する素材で構成することにより、第１分離片２１は大人用の浮き輪として、また第２分離片２２は子供用の浮き輪として、それぞれ使用できるようになっている。浮き輪としての浮力は、各分離片２１，２２を必要に応じてそれぞれ複数積層して使用することにより確保することができる。また、第３分離片２３は、例えば子供の腕に通すことにより、腕用の浮き輪として使用できるようになっている。
【００３２】
これら浮き輪としての第１〜第３分離片２１，２２，２３は、普段のプール遊びで使用できることに加え、水害などの災害時においても好適に使用できる。すなわち、第１〜第３分離片２１，２２，２３を日常的にプール遊び等で浮き輪として使用することで、その浮き輪としての使用方法にも慣れるので、災害時などの非常時であっても迷うことなく素早く的確に救命用の浮き輪として使用できる。
【００３３】
ここで、図９は、楕円形の分離片２７を有する組立板材１０を示している。この組立板材１０は、第１分離片２５、第２分離片２６及び第３分離片２７によって構成されている。第１分離片２５は、係合部１１を有する最も外側部分であって、円状の第１開口部３４が形成されることにより枠状体となっている。
【００３４】
第２分離片２６は、第１分離片２５の第１開口部３４に着脱自在に嵌め込まれて、楕円状の第２開口部３５が形成されることにより枠状体となっている。第３分離片２７は、第２分離片２６の第２開口部３５に着脱自在に嵌め込まれる楕円板状に形成されている。こうして、第２分離片２６は、大人用又は子供用の浮き輪として使用できるようになっている。
【００３５】
このように、枠状の第２分離片２６は楕円形の第２開口部３５を有することが好ましい。浮き輪の使用者の胴体は断面形状が楕円状であるので、浮き輪たる第２分離片２６が使用者の体にフィットし易くなることから、使用者の安全をより高めることができる。
【００３６】
尚、分離片２１，２２，２３は浮き輪以外の他の浮き具としてもよい。例えば、組立板材１０の他の例を示す図１０のように、係合部１１を有する外側の第１分離片２８と、この第１分離片２８に分離可能な第２分離片２９としてのビート板２９とによって、組立板材１０を構成してもよい。
【００３７】
また、図６及び図７に示す第２分離片２２及び第３分離片２３は、浮き輪としてだけでなく、輪投げ遊び用の輪として使用することも可能である。また、第２分離片２２に第３分離片２３及び第４分離片２４を嵌め込んだ状態で円盤形態とし、フライングディスクのように回転させながら投げて遊ぶこともできる。
【００３８】
また、第２〜第４分離片２２，２３，２４は、組立椅子３の構成部材としても使用できる。組立椅子３の斜視図である図１１に示すように、第２〜第４分離片２２，２３，２４を一体の円盤体とした状態で、その厚み方向に前記円盤体を複数積層することによって、円柱状の組立椅子３を構成することができる。この組立椅子３は、円盤体を構成する第２〜第４分離片２２，２３，２４の積層枚数を増減することによって組立椅子３の高さが容易に調整可能となっている。例えば組立板材１０の厚みが３０ｍｍであった場合、８枚分離片を積層すれば２４０ｍｍの高さの椅子を構成することが可能となる。
【００３９】
また、図４のハウス型遊具２では、第２〜第４分離片２２，２３，２４を取り外すことによって、その壁部７に丸い窓を作ることができ、遊びの幅を広げることができる。
【００４０】
以上説明したように、本実施形態１では、互いに連結可能な組立板材１０を、互いに分離可能に嵌合した複数の第１〜第４分離片２１，２２，２３，２４によって構成した。特に、第１〜第４分離片２１，２２，２３，２４は、組立板材１０に切れ込みが入れられることでその切れ込みにおいて互いに分離可能となっているので、その第１〜第４分離片２１，２２，２３，２４を組立板材１０からなる厚手マット１や据え置き型遊具２とは別の用途（例えば、浮き具や遊具等）で使用することができる。一方、第１〜第４分離片２１，２２，２３，２４の使用後は、厚手マット１や据え置き型遊具２（すなわち、連結状態の組立板材１０）に嵌め込むことによって、当該厚手マット１や据え置き型遊具２に収納することができる。よって、互いに連結可能な組立板材１０について、物置等の別途の収納スペースを不要にしながらも、組立板材１０としての用途とは別の用途に第１〜第４分離片２１，２２，２３，２４を利用することができる。
【００４１】
また、このような厚手マット１及び据え置き型遊具２は、例えば室内等に設置されているので、日常的に、第１〜第４分離片２１，２２，２３，２４を浮き具又は遊具として使用でき、またこれらを厚手マット１又は据え置き型遊具２の一部として収納することできる。特に、第１〜第３分離片２１，２２，２３を日常的にプール遊び等で浮き輪として使用できる構成としたので、その日常的な使用に伴い収納場所が明確になり且つ組立板材１０から取り外して使用するという使用方法にも自然と慣れる結果、災害時などの非常時であっても、迷うことなく素早く的確に救命用の浮き輪として使用できることとなる。つまり、普段から組立板材１０及び第１〜第３分離片２１，２２，２３を使用することが防災訓練にもなるという優れた利点を有するのである。
《実施形態２》
【００４２】
図１２及び図１３は、本実施形態２を示している。図１２は、本実施形態２における組立板材１０を拡大して示す平面図である。図１３は、仮設便器４の構成を示す斜視図である。
【００４３】
図１２に示すように、本実施形態２における組立板材１０は、当該組立板材１０に環状の切れ込み１５を二重に入れることによって互いに分離可能な第１分離片４１、第２分離片４２及び第３分離片４３により構成されている。
【００４４】
第１分離片４１は、上記実施形態１と同様の係合部１１を有する最も外側部分であって、円状の第１開口部４５が形成されることにより枠状体となっている。第２分離片４２は、第１分離片４１の第１開口部４５に着脱自在に嵌め込まれて、楕円状の第２開口部４６が形成されることにより枠状体となっている。第３分離片４３は、第２分離片４２の第２開口部４６に着脱自在に嵌め込まれる円板状に形成されている。
第２分離片４２には、その周方向に延びるスリット４８が所定の間隔で複数形成されている。スリット４８は、第２分離片４２を厚み方向に貫通している。
【００４５】
本実施形態２では、図１３に示すように、複数の第２分離片４２が積層してなる組立椅子が仮設便器４を構成している。すなわち、第１分離片４１及び第３分離片４３から分離した第２分離片４２を複数積層することにより、円筒状の積層体５０が形成される。積層体５０の内側（つまり、積層された第２分離片４２の枠内）には、第２開口部４６が縦に連なることで収容部５１が形成されている。
【００４６】
そして、収容部５１には、例えばポリオレフィンやポリエチレン等からなる袋体５３を配置すると共に、その袋体５３における開口端側の一部を積層体５０の上端を構成している第２分離片４２のスリット４８に差し込んで固定できるようになっている。つまり、スリット４８は、袋体５３の一部を固定する固定手段となっている。
【００４７】
さらに、袋体５３が取り付けられた積層体５０の上に別の第２分離片４２を載置することによって仮設便器４が形成される。袋体５３の開口端側部分は、上記スリット４８で固定されると共に上下の第２分離片４２によって挟み込まれるので、確実に固定保持することができる。このようにして、袋体５３に使用者の排泄物を収容できるようになっている。
【００４８】
よって、本実施形態２によると、上記実施形態１の浮き輪等と同様に、仮設便器４も、室内等に設置された厚手マット１又は据え置き型遊具２に複数の構成部材（分離片）として嵌め込まれて収納することができる。よって、その収納場所が明確になり且つ使用方法にも容易に慣れるので、災害時などの非常時に素早く的確に仮設便器４として使用することができる。
さらに、第２分離片４２を図９に示すような楕円状の第２開口部４６を有する形状とすれば、より仮設便器４に好適となり望ましい。
《実施形態３》
【００４９】
図１４は、実施形態３における仮設保存容器９の構成を示す斜視図である。本実施形態３における仮設保存容器９は、食品等を保温しつつ保存できるように構成されている。
【００５０】
仮設保存容器９は、上記実施形態２と同様に、複数の第２分離片４２が積層されてなる積層体５０を有すると共に、その内側の収容部５１に袋体５３が配置されてスリット４８により固定されている。袋体５３の内部、又は収容部５１の内側であって袋体５３の外側には、冷却材５５が配置されている。
【００５１】
さらに、袋体５３が取り付けられた積層体５０の上に第３分離片４３が嵌め込まれた第２分離片４２を載置する。このようにして、袋体５３に収容した食品等を冷却材５５により冷却しながら保存することが可能となる。特に、第２分離片４２がＥＶＡ等の発泡体からなるので、保温効果を高めることができる。
尚、収容物が温かい食品等である場合は、冷却材５５の代わりに加熱材を入れることで保温しながら保存することができる。
【００５２】
実施形態３の仮設保存容器９は日常の特別なイベントの際に簡易的な保存容器として活用する習慣を常に行っていれば、災害時などの非常時にあっても、迷うことなく素早く適格に実施形態２の仮設便器４への応用に繋がり、日頃の習慣がそのまま防災訓練にもなるという優れた利点を有するものである。
【産業上の利用可能性】
【００５３】
以上説明したように、本発明は、互いに連結可能な組立板材について有用である。
【符号の説明】
【００５４】
１  厚手マット
２  ハウス型遊具（据え置き型遊具）
３  組立椅子
４  仮設便器
５  床
６  壁
１０  組立板材
１１  係合部
１５  切れ込み
２１，２５，２８，４１  第１分離片
２２，２６，２９，４２  第２分離片
２３、２７，４３  第３分離片
２４  第４分離片
４８  スリット（固定手段）
５３  袋体
【手続補正書】
【提出日】平成29年1月7日(2017.1.7)
【手続補正１】
【補正対象書類名】特許請求の範囲
【補正対象項目名】全文
【補正方法】変更
【補正の内容】
【特許請求の範囲】
【請求項１】
係合部が形成された組立板材であって、
複数の前記組立板材は、前記各係合部同士が係合することによって、互いに連結可能となっており、
前記組立板材は、枠状体に形成された分離片を含む複数の分離片が互いに分離可能に嵌合して構成され、
前記係合部同士が係合して連結することによって、床若しくは壁に設置される厚手マット又は据え置き型遊具を形成することが可能であり、
複数の前記分離片を該分離片の厚み方向に積層することによって積層体が構成され、前記分離片の積層枚数を上下に増減することによって前記積層体の高さが調整可能となっており、
枠状体に形成された前記分離片は、袋体の一部を固定する固定手段を有し、
前記枠状体の分離片の枠内によって構成される前記積層体の内側に前記袋体を配置した状態で該袋体における開口端側の一部を前記固定手段で固定するようになっている、組立板材。
【請求項２】
請求項１に記載の組立板材において、
前記積層体は、仮設便器を構成しており、
前記固定手段により固定された前記袋体に使用者の排泄物を収容できるようになっている、組立板材。
【請求項３】
請求項１に記載の組立板材において、
前記積層体は、仮設保存容器を構成しており、
前記固定手段により固定された前記袋体に物品を収容して保存できるようになっている、組立板材。
【請求項４】
請求項１乃至３の何れか１つに記載の組立板材において、
少なくとも１つの前記分離片は、前記組立板材に環状の切れ込みを二重に入れることによって分離可能な枠状体に形成されている、組立板材。
【手続補正２】
【補正対象書類名】明細書
【補正対象項目名】全文
【補正方法】変更
【補正の内容】
【発明の詳細な説明】
【技術分野】
【０００１】
本発明は、互いに連結可能な組立板材に関する。
【背景技術】
【０００２】
特許文献１には、互いに連結可能な組立板材の例として、床に配置する組立マットが開示されている。この組立マットは、四角形状に形成されると共に例えばその４辺に組立手段（係合部）が形成されている。組立手段（係合部）は、凸部と凹部が交互に配置された形状を有している。こうして、組立マットは、組立手段（係合部）同士が係合することによって互いに連結可能となっており、連結する組立マットの数を増減することで任意の大きさのマットを形成できるようになっている。
【０００３】
特許文献２には、ベッドの側部に車椅子が収まるように、マットレスの一部分を取り外し可能マットレス部分とすることが記載されている。すなわち、取り外し可能マットレス部分は、マットレス本体に連結可能となっている。そして、取り外し可能マットレス部分を取り外したスペースに車椅子を収まるように入れて、車椅子の背もたれ部分等を取り外してベッドと一体化した後、寝たきり老人をベッド上で起こして車椅子のマットに座らせる。そのことにより、ベッドから車椅子への移動が容易になるので、介護者の負担が軽減される。
【０００４】
特許文献３には、円環体状の袋を二段以上重ねた構造であり、袋の中に気体を充填して使用し、外側に転倒防止用の支持体を有する仮設便器が記載されている。この仮設便器は、複数の袋を支持体と共に折り畳んで収納できるようになっている。
【先行技術文献】
【特許文献】
【０００５】
【特許文献１】特開平１０−１５２９７７号公報
【特許文献２】実用新案登録第３０６８１３９号公報
【特許文献３】特開平７−１９４５００号公報
【発明の概要】
【発明が解決しようとする課題】
【０００６】
しかし、上記特許文献１では、組立板材としての組立マットをマット以外の用途に利用することは何等開示されていない。また上記特許文献２でも、取り外し可能マットレス部分を、ベッドのマットレスにおける一部分として用いる以外に他の用途に利用することは考えられていない。
【０００７】
特許文献３の仮設便器は、折り畳んで収納状態となることから使用状態よりはコンパクトになる。しかし、収納状態の仮設便器を収納する物置などの収納スペースが必要になることは避けられない。また、仮設便器を使用するのは災害時などの非常時であるところ、いざ使用しようとしたときに、仮設便器がどこに収納されているのか分からず、結局役に立たなかったということも起こり得る。また、普段の通常時には、仮設便器は物置などに収容されたままであって使用されないので、収納場所が分かっても使用方法が分からず、素早く的確に使用することが難しい。
【０００８】
本発明は、かかる点に鑑みてなされたものであり、その主たる目的とするところは、互いに連結可能な組立板材について、収納スペースを不要にしながらも組立板材をさらに分離することにより、組立板材の素材を、組立板材を用いて連結させた用途とは別の用途にも利用できるようにすることにある。
【課題を解決するための手段】
【０００９】
第１の発明に係る組立板材は、係合部が形成された組立板材であって、複数の前記組立板材は、前記各係合部同士が係合することによって、互いに連結可能となっており、前記組立板材は、枠状体に形成された分離片を含む複数の分離片が互いに分離可能に嵌合して構成され、前記係合部同士が係合して連結することによって、床若しくは壁に設置される厚手マット又は据え置き型遊具を形成することが可能であり、複数の前記分離片を該分離片の厚み方向に積層することによって積層体が構成され、前記分離片の積層枚数を上下に増減することによって前記積層体の高さが調整可能となっており、枠状体に形成された前記分離片は、袋体の一部を固定する固定手段を有し、前記枠状体の分離片の枠内によって構成される前記積層体の内側に前記袋体を配置した状態で該袋体における開口端側の一部を前記固定手段で固定するようになっている。
【００１０】
第２の発明に係る組立板材は、上記第１の発明において、前記積層体は、仮設便器を構成しており、前記固定手段により固定された前記袋体に使用者の排泄物を収容できるようになっている。
【００１１】
第３の発明に係る組立板材は、上記第１の発明において、前記積層体は、仮設保存容器を構成しており、前記固定手段により固定された前記袋体に物品を収容して保存できるようになっている。
【００１２】
第４の発明に係る組立板材は、上記第１乃至第３の何れか１つの発明において、少なくとも１つの前記分離片は、前記組立板材に環状の切れ込みを二重に入れることによって分離可能な枠状体に形成されていることが好ましい。
【発明の効果】
【００１３】
第１の発明によれば、組立板材は係合部において互いに連結した状態で、設置ないし使用することができる。そして、組立板材は複数の分離片によって構成されており、この分離片は互いに分離可能に嵌合している。したがって、例えば、連結状態の組立板材によって厚手マット又は据え置き型遊具を構成し、その厚手マット又は据え置き型遊具から分離片を分離して、互いに積層した積層体を構成することができる。さらに、その積層体の内側に配置した袋体を、分離片に設けた固定手段により固定した状態で、当該袋体に被収容物を収容することができる。一方、分離片の使用後は、例えば厚手マット又は据え置き型遊具の組立板材に嵌め込むことによって、当該組立板材に収納することができる。よって、積層体を構成する分離片について、物置等の別途の収納スペースを不要にすることが可能になる。
【００１４】
第２の発明によれば、組立て板材を構成する分離片によって仮設便器を形成することができる。この仮設便器も、室内等に設置された厚手マット又は据え置き型遊具に複数の構成部材（分離片）として嵌め込まれて収納される。よって、その収納場所が明確になり且つ使用方法にも慣れ易いので、災害時などの非常時に素早く的確に仮設便器として使用することが可能になる。
【００１５】
第３の発明によれば、組立て板材を構成する分離片によって仮設保存容器を形成することができる。この仮設保存容器も、上記第２の発明と同様に、室内等に設置された厚手マット又は据え置き型遊具に複数の構成部材（分離片）として嵌め込まれて収納される。よって、その収納場所が明確になり且つ使用方法にも慣れ易いので、災害時などの非常時に素早く的確に仮設保存容器として使用することが可能になる。
【００１６】
第４の発明によれば、組立板材に環状の切れ込みを二重に入れることによって分離可能な枠状体を形成することで、当該枠状体からなる分離片を好適に得ることができる。
【図面の簡単な説明】
【００１７】
【図１】図１は、本参考例における組立板材を示す平面図である。
【図２】図２は、本参考例における互いに連結した組立板材を示す平面図である。
【図３】図３は、床マット及び壁マットとして利用された組立板材を示す斜視図である。
【図４】図４は、据え置き型遊具として利用された組立板材を示す斜視図である。
【図５】図５は、第１分離片を示す平面図である。
【図６】図６は、第２分離片を示す平面図である。
【図７】図７は、第３分離片を示す平面図である。
【図８】図８は、第４分離片を示す平面図である。
【図９】図９は、楕円形の分離片を有する組立板材を示す平面図である。
【図１０】図１０は、ビート板としての分離片を有する組立板材を示す平面図である。
【図１１】図１１は、組立椅子として利用された分離片を示す斜視図である。
【図１２】図１２は、本実施形態１における組立板材を示す平面図である。
【図１３】図１３は、仮設便器として利用された分離片を示す斜視図である。
【図１４】図１４は、収納保存容器として利用された分離片を示す斜視図である。
【発明を実施するための形態】
【００１８】
以下、本発明の参考例及び実施形態を図面に基づいて詳細に説明する。尚、本発明は、以下の参考例及び実施形態に限定されるものではない。
《参考例》
【００１９】
図１〜図１１は、本参考例における組立板材の構成例及び使用例を示している。図１は、１つの組立板材１０を拡大して示す平面図である。図２は、互いに連結した組立板材１０を示す平面図である。
【００２０】
図１に示すように、本参考例における組立板材１０は、例えば略正方形の板状に形成されている。組立板材１０は、水に浮く板材によって構成され、例えばＥＶＡ発泡体等の高発泡の樹脂材料や、単発泡の樹脂材料、若しくは、板材内部の気体が外部へ漏れないように選別された素材で密封された構造体等からなる。組立板材１０は、縦及び横の寸法が例えば６００ｍｍ程度であり、厚みが例えば３０ｍｍ程度である。尚、組立板材１０の寸法はこれに限らず、適宜設定することが可能である。
【００２１】
組立板材１０には係合部１１が形成されている。係合部１１は、組立板材１０の四辺に設けられており、側方外側へ突出した凸部１２と、側方内側へ陥入した凹部１３とが交互に配置されることによって形成されている。凸部１２及び凹部１３は、平面視で扁平した円弧状の外縁を有している。そして、複数の組立板材１０は、図２に示すように、凸部１２と凹部１３とが嵌合して各係合部１１同士が係合することによって、互いに連結可能となっている。
【００２２】
図２及び図３に示すように、組立板材１０は、係合部１１同士が互いに連結することによって、床５又は壁６に設置される大判の厚手マット１を形成するように構成されている。厚手マット１を壁６に設置する場合は、壁６と厚手マット１に例えば面ファスナー（図示省略）を貼り付けておくことにより、厚手マット１を壁６から着脱可能に設置できる。
【００２３】
尚、厚手マット１の縁には、当該厚手マット１の縁を直線状の形に整えるために、縁用板材（図示省略）を取り付けてもよい。縁用板材は、組立板材１０と同じくＥＶＡ発泡体等の水に浮く板材からなる長方形状に形成し、１つの長辺を直線状に形成する一方、その他の三辺に組立板材１０と同様の係合部を形成すればよい。
【００２４】
また、図４に示すように、組立板材１０は、互いに連結することによって床５に設置される据え置き型遊具２を形成することも可能になっている。例えば、図４の据え置き型遊具２は、子供が出入りして遊べるハウス型遊具２とした例を示している。このハウス型遊具２は、４つの壁部７で囲まれた室内を有して上部が開放された形状となっている。各壁部７の中央下部は、組立板材１０が嵌め込まれずに開口部８となっており、この開口部８が子供たちの出入口となっている。
尚、据え置き型遊具２は、少なくとも一部が組立板材１０によって構成されていれば、上記ハウス型遊具２に限らず他の遊具であってもよい。
【００２５】
図１、図５〜図８に示すように、組立板材１０は、互いに分離可能に嵌合した複数の分離片２１，２２，２３，２４によって構成されている。例えば、組立板材１０は、切れ込み１５が入れられていて、当該切れ込み１５において互いに分離可能となった複数の分離片２１，２２，２３，２４によって構成されている。組立板材１０は、少なくとも１つの分離片２２，２３が、当該組立板材１０に環状の切れ込み１５を二重に入れることによって分離可能な枠状体に形成されている。
【００２６】
本参考例では、同心上に配置された三重の円形状の切れ込み１５が組立板材１０に形成されている。各切れ込み１５は、組立板材１０における厚み方向の全体に亘って形成されている。そして、分離片２１，２２，２３，２４の少なくとも１つは、後述するように、浮き具、遊具、又は組立椅子の構成部材となっている。
【００２７】
本参考例の組立板材１０は、第１分離片２１、第２分離片２２、第３分離片２３及び第４分離片２４により構成されている。第１分離片２１は、図１及び図５に示すように、組立板材１０における係合部１１を有する最も外側部分であって、円状の第１開口部３１が形成されることにより枠状体となっている。
【００２８】
第２分離片２２は、図１及び図６に示すように、第１分離片２１の第１開口部３１に着脱自在に嵌め込まれて、円状の第２開口部３２が形成されることにより円環状の枠状体となっている。第３分離片２３は、図１及び図７に示すように、第２分離片２２の第２開口部３２に着脱自在に嵌め込まれて、円状の第３開口部３３が形成されることにより円環状の枠状体となっている。第４分離片２４は、図１及び図８に示すように、第３分離片２３の第３開口部３３に着脱自在に嵌め込まれる円板状に形成されている。こうして、第２〜第４分離片２２，２３，２４は、第１分離片２１に対して着脱自在になっている。
【００２９】
組立板材１０を例えばＥＶＡや単発泡素材などの浮力を維持する素材で構成することにより、第１分離片２１は大人用の浮き輪として、また第２分離片２２は子供用の浮き輪として、それぞれ使用できるようになっている。浮き輪としての浮力は、各分離片２１，２２を必要に応じてそれぞれ複数積層して使用することにより確保することができる。また、第３分離片２３は、例えば子供の腕に通すことにより、腕用の浮き輪として使用できるようになっている。
【００３０】
これら浮き輪としての第１〜第３分離片２１，２２，２３は、普段のプール遊びで使用できることに加え、水害などの災害時においても好適に使用できる。すなわち、第１〜第３分離片２１，２２，２３を日常的にプール遊び等で浮き輪として使用することで、その浮き輪としての使用方法にも慣れるので、災害時などの非常時であっても迷うことなく素早く的確に救命用の浮き輪として使用できる。
【００３１】
ここで、図９は、楕円形の分離片２７を有する組立板材１０を示している。この組立板材１０は、第１分離片２５、第２分離片２６及び第３分離片２７によって構成されている。第１分離片２５は、係合部１１を有する最も外側部分であって、円状の第１開口部３４が形成されることにより枠状体となっている。
【００３２】
第２分離片２６は、第１分離片２５の第１開口部３４に着脱自在に嵌め込まれて、楕円状の第２開口部３５が形成されることにより枠状体となっている。第３分離片２７は、第２分離片２６の第２開口部３５に着脱自在に嵌め込まれる楕円板状に形成されている。こうして、第２分離片２６は、大人用又は子供用の浮き輪として使用できるようになっている。
【００３３】
このように、枠状の第２分離片２６は楕円形の第２開口部３５を有することが好ましい。浮き輪の使用者の胴体は断面形状が楕円状であるので、浮き輪たる第２分離片２６が使用者の体にフィットし易くなることから、使用者の安全をより高めることができる。
【００３４】
尚、分離片２１，２２，２３は浮き輪以外の他の浮き具としてもよい。例えば、組立板材１０の他の例を示す図１０のように、係合部１１を有する外側の第１分離片２８と、この第１分離片２８に分離可能な第２分離片２９としてのビート板２９とによって、組立板材１０を構成してもよい。
【００３５】
また、図６及び図７に示す第２分離片２２及び第３分離片２３は、浮き輪としてだけでなく、輪投げ遊び用の輪として使用することも可能である。また、第２分離片２２に第３分離片２３及び第４分離片２４を嵌め込んだ状態で円盤形態とし、フライングディスクのように回転させながら投げて遊ぶこともできる。
【００３６】
また、第２〜第４分離片２２，２３，２４は、組立椅子３の構成部材としても使用できる。組立椅子３の斜視図である図１１に示すように、第２〜第４分離片２２，２３，２４を一体の円盤体とした状態で、その厚み方向に前記円盤体を複数積層することによって、円柱状の組立椅子３を構成することができる。この組立椅子３は、円盤体を構成する第２〜第４分離片２２，２３，２４の積層枚数を増減することによって組立椅子３の高さが容易に調整可能となっている。例えば組立板材１０の厚みが３０ｍｍであった場合、８枚分離片を積層すれば２４０ｍｍの高さの椅子を構成することが可能となる。
【００３７】
また、図４のハウス型遊具２では、第２〜第４分離片２２，２３，２４を取り外すことによって、その壁部７に丸い窓を作ることができ、遊びの幅を広げることができる。
【００３８】
以上説明したように、本参考例では、互いに連結可能な組立板材１０を、互いに分離可能に嵌合した複数の第１〜第４分離片２１，２２，２３，２４によって構成した。特に、第１〜第４分離片２１，２２，２３，２４は、組立板材１０に切れ込みが入れられることでその切れ込みにおいて互いに分離可能となっているので、その第１〜第４分離片２１，２２，２３，２４を組立板材１０からなる厚手マット１や据え置き型遊具２とは別の用途（例えば、浮き具や遊具等）で使用することができる。一方、第１〜第４分離片２１，２２，２３，２４の使用後は、厚手マット１や据え置き型遊具２（すなわち、連結状態の組立板材１０）に嵌め込むことによって、当該厚手マット１や据え置き型遊具２に収納することができる。よって、互いに連結可能な組立板材１０について、物置等の別途の収納スペースを不要にしながらも、組立板材１０としての用途とは別の用途に第１〜第４分離片２１，２２，２３，２４を利用することができる。
【００３９】
また、このような厚手マット１及び据え置き型遊具２は、例えば室内等に設置されているので、日常的に、第１〜第４分離片２１，２２，２３，２４を浮き具又は遊具として使用でき、またこれらを厚手マット１又は据え置き型遊具２の一部として収納することできる。特に、第１〜第３分離片２１，２２，２３を日常的にプール遊び等で浮き輪として使用できる構成としたので、その日常的な使用に伴い収納場所が明確になり且つ組立板材１０から取り外して使用するという使用方法にも自然と慣れる結果、災害時などの非常時であっても、迷うことなく素早く的確に救命用の浮き輪として使用できることとなる。つまり、普段から組立板材１０及び第１〜第３分離片２１，２２，２３を使用することが防災訓練にもなるという優れた利点を有するのである。
《実施形態１》
【００４０】
図１２及び図１３は、本実施形態１を示している。図１２は、本実施形態１における組立板材１０を拡大して示す平面図である。図１３は、仮設便器４の構成を示す斜視図である。
【００４１】
図１２に示すように、本実施形態１における組立板材１０は、当該組立板材１０に環状の切れ込み１５を二重に入れることによって互いに分離可能な第１分離片４１、第２分離片４２及び第３分離片４３により構成されている。
【００４２】
第１分離片４１は、上記参考例と同様の係合部１１を有する最も外側部分であって、円状の第１開口部４５が形成されることにより枠状体となっている。第２分離片４２は、第１分離片４１の第１開口部４５に着脱自在に嵌め込まれて、楕円状の第２開口部４６が形成されることにより枠状体となっている。第３分離片４３は、第２分離片４２の第２開口部４６に着脱自在に嵌め込まれる円板状に形成されている。
第２分離片４２には、その周方向に延びるスリット４８が所定の間隔で複数形成されている。スリット４８は、第２分離片４２を厚み方向に貫通している。
【００４３】
本実施形態１では、図１３に示すように、複数の第２分離片４２が積層してなる組立椅子が仮設便器４を構成している。すなわち、第１分離片４１及び第３分離片４３から分離した第２分離片４２を複数積層することにより、円筒状の積層体５０が形成される。積層体５０の内側（つまり、積層された第２分離片４２の枠内）には、第２開口部４６が縦に連なることで収容部５１が形成されている。
【００４４】
そして、収容部５１には、例えばポリオレフィンやポリエチレン等からなる袋体５３を配置すると共に、その袋体５３における開口端側の一部を積層体５０の上端を構成している第２分離片４２のスリット４８に差し込んで固定できるようになっている。つまり、スリット４８は、袋体５３の一部を固定する固定手段となっている。
【００４５】
さらに、袋体５３が取り付けられた積層体５０の上に別の第２分離片４２を載置することによって仮設便器４が形成される。袋体５３の開口端側部分は、上記スリット４８で固定されると共に上下の第２分離片４２によって挟み込まれるので、確実に固定保持することができる。このようにして、袋体５３に使用者の排泄物を収容できるようになっている。
【００４６】
よって、本実施形態１によると、上記参考例の浮き輪等と同様に、仮設便器４も、室内等に設置された厚手マット１又は据え置き型遊具２に複数の構成部材（分離片）として嵌め込まれて収納することができる。よって、その収納場所が明確になり且つ使用方法にも容易に慣れるので、災害時などの非常時に素早く的確に仮設便器４として使用することができる。
さらに、第２分離片４２を図９に示すような楕円状の第２開口部４６を有する形状とすれば、より仮設便器４に好適となり望ましい。
《実施形態２》
【００４７】
図１４は、実施形態２における仮設保存容器９の構成を示す斜視図である。本実施形態２における仮設保存容器９は、食品等を保温しつつ保存できるように構成されている。
【００４８】
仮設保存容器９は、上記実施形態１と同様に、複数の第２分離片４２が積層されてなる積層体５０を有すると共に、その内側の収容部５１に袋体５３が配置されてスリット４８により固定されている。袋体５３の内部、又は収容部５１の内側であって袋体５３の外側には、冷却材５５が配置されている。
【００４９】
さらに、袋体５３が取り付けられた積層体５０の上に第３分離片４３が嵌め込まれた第２分離片４２を載置する。このようにして、袋体５３に収容した食品等を冷却材５５により冷却しながら保存することが可能となる。特に、第２分離片４２がＥＶＡ等の発泡体からなるので、保温効果を高めることができる。
尚、収容物が温かい食品等である場合は、冷却材５５の代わりに加熱材を入れることで保温しながら保存することができる。
【００５０】
実施形態２の仮設保存容器９は日常の特別なイベントの際に簡易的な保存容器として活用する習慣を常に行っていれば、災害時などの非常時にあっても、迷うことなく素早く適格に実施形態２の仮設便器４への応用に繋がり、日頃の習慣がそのまま防災訓練にもなるという優れた利点を有するものである。
【産業上の利用可能性】
【００５１】
以上説明したように、本発明は、互いに連結可能な組立板材について有用である。
【符号の説明】
【００５２】
１  厚手マット
２  ハウス型遊具（据え置き型遊具）
３  組立椅子
４  仮設便器
５  床
６  壁
１０  組立板材
１１  係合部
１５  切れ込み
２１，２５，２８，４１  第１分離片
２２，２６，２９，４２  第２分離片
２３、２７，４３  第３分離片
２４  第４分離片
４８  スリット（固定手段）
５３  袋体